【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】
端末からのユーザによる親展印刷要求をプリンタまたはプリンタサーバに登録し、上記登録されている親展印刷要求に対し、上記プリンタにおけるユーザの親展印刷操作により親展印刷を行う印刷システムにおいて、
端末からのユーザによる新たな親展印刷要求に対し、上記ユーザと同一ユーザによる古い親展印刷要求の件数が制限数登録されている場合は、上記同一ユーザによる新たな親展印刷要求を受け付けないことを特徴とする印刷システム。
【請求項２】
請求項１の印刷システムにおいて、
上記制限数が１以上の数に設定されていることを特徴とする印刷システム。
【請求項３】
請求項１の印刷システムにおいて、
上記同一ユーザによる新たな親展印刷要求を受け付けない場合は、拒否通知を端末へ送信することを特徴とする印刷システム。
【請求項４】
端末からのユーザによる親展印刷要求をプリンタまたはプリンタサーバに登録し、上記登録されている親展印刷要求に対し、上記プリンタにおけるユーザの親展印刷操作により親展印刷を行う印刷システムにおいて、
端末からのユーザによる新たな親展印刷要求に対し、上記ユーザと同一ユーザからの古い親展印刷要求が登録されている場合は、上記同一ユーザによる古い親展印刷要求を削除するか否かを上記同一ユーザに選択させ、上記同一ユーザによる古い親展印刷要求の削除が選択された場合は、上記同一ユーザによる古い親展印刷要求を削除して、上記同一ユーザによる新たな親展印刷要求を受け付けるようにしたことを特徴とする印刷システム。
【請求項５】
請求項４の印刷システムにおいて、
上記同一ユーザによる古い親展印刷要求の削除が選択されなかった場合は、上記同一ユーザによる新たな親展印刷要求を拒否するようにしたことを特徴とする印刷システム。
【請求項６】
請求項４の印刷システムにおいて、
上記同一ユーザによる古い親展印刷要求の削除が選択されなかった場合、上記同一ユーザによる古い親展印刷要求のジョブ識別子と新たな親展印刷要求のジョブ識別子が同一であれば、双方のジョブを合成するか否かを上記同一ユーザに選択させるようにしたことを特徴とする印刷システム。
【請求項７】
端末からのユーザによる親展印刷要求をプリンタまたはプリンタサーバに登録し、上記登録されている親展印刷要求に対し、上記プリンタにおけるユーザの親展印刷操作により親展印刷を行う印刷システムにおいて、
端末からのユーザによる新たな親展印刷要求に対し、上記ユーザと同一ユーザによる古い親展印刷要求が登録されている場合は、上記同一ユーザによる古い親展印刷要求のジョブ識別子と新たな親展印刷要求のジョブ識別子が同一であれば、双方のジョブを合成するか否かを上記同一ユーザに選択させるようにしたことを特徴とする印刷システム。
【請求項８】
請求項４〜７の印刷システムにおいて、
新たな親展印刷要求を受け付けた場合、または、ジョブを合成した場合、その後、所定時間内のみ、上記同一ユーザからの追加の親展印刷要求を受け付けて、既に受け付けている親展印刷要求のジョブと追加の親展印刷要求のジョブを合成するようにしたことを特徴とする印刷システム。
【手続補正２】
【補正対象書類名】明細書
【補正対象項目名】００１２
【補正方法】変更
【補正の内容】
【００１２】
【課題を解決するための手段および発明の効果】
本発明による印刷システムは、端末からのユーザによる親展印刷要求をプリンタまたはプリンタサーバに登録し、上記登録されている親展印刷要求に対し、上記プリンタにおけるユーザの親展印刷操作により親展印刷を行う印刷システムにおいて、端末からのユーザによる新たな親展印刷要求に対し、上記ユーザと同一ユーザによる古い親展印刷要求の件数が制限数登録されている場合は、上記同一ユーザによる新たな親展印刷要求を受け付けないことを特徴とするものである。
【手続補正３】
【補正対象書類名】明細書
【補正対象項目名】００１３
【補正方法】変更
【補正の内容】
【００１３】
プリンタまたはプリンタサーバに、同一ユーザによる古い親展印刷要求が登録されていない場合、あるいは、登録されていても、制限数登録されていない場合は、同一ユーザによる新たな親展印刷要求を受け付ける。
【手続補正４】
【補正対象書類名】明細書
【補正対象項目名】００１４
【補正方法】変更
【補正の内容】
【００１４】
本発明の印刷システムによれば、プリンタまたはプリンタサーバに、同一ユーザによる親展印刷要求が制限数より多く溜まることがない。したがって、親展印刷機能に頼って安易に機密データの印刷要求をすることによって、多数の機密データが放置されることを防止することができる。
【手続補正５】
【補正対象書類名】明細書
【補正対象項目名】００１５
【補正方法】変更
【補正の内容】
【００１５】
本発明の印刷システムにおいて、たとえば、上記制限数が１以上の数に設定されている。
【手続補正６】
【補正対象書類名】明細書
【補正対象項目名】００１６
【補正方法】変更
【補正の内容】
【００１６】
本発明の印刷システムにおいて、たとえば、上記同一ユーザによる新たな親展印刷要求を受け付けない場合は、拒否通知を端末へ送信する。
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】変更
【補正の内容】
【００１８】
本発明による印刷システムは、また、端末からのユーザによる親展印刷要求をプリンタまたはプリンタサーバに登録し、上記登録されている親展印刷要求に対し、上記プリンタにおけるユーザの親展印刷操作により親展印刷を行う印刷システムにおいて、端末からのユーザによる新たな親展印刷要求に対し、上記ユーザと同一ユーザからの古い親展印刷要求が登録されている場合は、上記同一ユーザによる古い親展印刷要求を削除するか否かを上記同一ユーザに選択させ、上記同一ユーザによる古い親展印刷要求の削除が選択された場合は、上記同一ユーザによる古い親展印刷要求を削除して、上記同一ユーザによる新たな親展印刷要求を受け付けるようにしたことを特徴とするものである。
【手続補正９】
【補正対象書類名】明細書
【補正対象項目名】００１９
【補正方法】変更
【補正の内容】
【００１９】
本発明の印刷システムによれば、同一ユーザによる古い親展印刷要求を削除して、同一ユーザによる新たな親展印刷要求を印刷することが可能となる。また、同一ユーザによる古い親展印刷要求を削除して、同一ユーザによる新たな親展印刷要求を受け付けるので、プリンタまたはプリンタサーバに同一ユーザによる親展印刷要求が２つ以上溜まることがない。したがって、多数の機密データが放置されることをより確実に防止することができる。
【手続補正１０】
【補正対象書類名】明細書
【補正対象項目名】００２０
【補正方法】変更
【補正の内容】
【００２０】
本発明の印刷システムにおいて、たとえば、上記同一ユーザによる古い親展印刷要求の削除が選択されなかった場合は、上記同一ユーザによる新たな親展印刷要求を拒否するようにする。
【手続補正１１】
【補正対象書類名】明細書
【補正対象項目名】００２１
【補正方法】変更
【補正の内容】
【００２１】
これによれば、同一ユーザによる古い親展印刷要求の削除が選択されなかった場合に、同一ユーザによる新たな親展印刷要求を拒否するので、プリンタまたはプリンタサーバに同一ユーザによる親展印刷要求が２つ以上溜まることがない。したがって、多数の機密データが放置されることをより確実に防止することができる。
【手続補正１２】
【補正対象書類名】明細書
【補正対象項目名】００２２
【補正方法】変更
【補正の内容】
【００２２】
本発明の印刷システムにおいて、たとえば、上記同一ユーザによる古い親展印刷要求の削除が選択されなかった場合、上記同一ユーザによる古い親展印刷要求のジョブ識別子と新たな親展印刷要求のジョブ識別子が同一であれば、双方のジョブを合成するか否かを上記同一ユーザに選択させるようにする。
【手続補正１３】
【補正対象書類名】明細書
【補正対象項目名】００２３
【補正方法】変更
【補正の内容】
【００２３】
双方のジョブの合成が選択されなかった場合、同一ユーザによる新たな親展印刷要求を拒否する。
【手続補正１４】
【補正対象書類名】明細書
【補正対象項目名】００２４
【補正方法】変更
【補正の内容】
【００２４】
双方のジョブの合成が選択された場合、双方のジョブを合成し、合成したジョブを同一ユーザの新たな親展印刷要求ジョブとして受け付ける。
【手続補正１５】
【補正対象書類名】明細書
【補正対象項目名】００２５
【補正方法】変更
【補正の内容】
【００２５】
これによれば、双方のジョブの合成を選択した場合に、双方のジョブが合成されてプリントされるため、以前に親展印刷要求をしてまだプリントしていないジョブと新たなジョブを両方プリントしたり、以前に親展印刷要求をしてまだプリントしていないジョブに対して訂正を行ってプリントしたりすることができ、このような場合に、以前のジョブをキャンセルして新たなジョブを再送信するような手間を省くことができる。また、双方のジョブの合成をしなかった場合は、同一ユーザによる新たな親展印刷要求を拒否するので、プリンタまたはプリンタサーバに同一ユーザによる親展印刷要求が２つ以上溜まることがない。したがって、多数の機密データが放置されることをより確実に防止することができる。
【手続補正１６】
【補正対象書類名】明細書
【補正対象項目名】００２６
【補正方法】変更
【補正の内容】
【００２６】
上記の印刷システムにおいて、同一ユーザによる古い親展印刷要求の削除が選択されなかった場合、同一ユーザによる古い親展印刷要求のジョブ識別子と新たな親展印刷要求のジョブ識別子が同一であれば、双方のジョブを自動的に合成するようにしてもよい。
【手続補正１７】
【補正対象書類名】明細書
【補正対象項目名】００２７
【補正方法】変更
【補正の内容】
【００２７】
本発明による印刷システムは、また、端末からのユーザによる親展印刷要求をプリンタまたはプリンタサーバに登録し、上記登録されている親展印刷要求に対し、上記プリンタにおけるユーザの親展印刷操作により親展印刷を行う印刷システムにおいて、端末からのユーザによる新たな親展印刷要求に対し、上記ユーザと同一ユーザによる古い親展印刷要求が登録されている場合は、上記同一ユーザによる古い親展印刷要求のジョブ識別子と新たな親展印刷要求のジョブ識別子が同一であれば、双方のジョブを合成するか否かを上記同一ユーザに選択させるようにしたことを特徴とするものである。
【手続補正１８】
【補正対象書類名】明細書
【補正対象項目名】００２９
【補正方法】変更
【補正の内容】
【００２９】
本発明の印刷システムによれば、双方のジョブの合成を選択した場合に、双方のジョブが合成されてプリントされるため、以前に親展印刷要求をしてまだプリントしていないジョブと新たなジョブを両方プリントしたり、以前に親展印刷要求をしてまだプリントしていないジョブに対して訂正を行ってプリントしたりすることができ、このような場合に、以前のジョブをキャンセルして新たなジョブを再送信するような手間を省くことができる。また、双方のジョブの合成をしなかった場合は、同一ユーザによる新たな親展印刷要求を拒否するので、プリンタまたはプリンタサーバに同一ユーザによる親展印刷要求が２つ以上溜まることがない。したがって、多数の機密データが放置されることをより確実に防止することができる。
【手続補正１９】
【補正対象書類名】明細書
【補正対象項目名】００３０
【補正方法】変更
【補正の内容】
【００３０】
本発明の印刷システムにおいて、たとえば、新たな親展印刷要求を受け付けた場合、または、ジョブを合成した場合、その後、所定時間内のみ、上記同一ユーザからの追加の親展印刷要求を受け付けて、既に受け付けている親展印刷要求のジョブと追加の親展印刷要求のジョブを合成するようにする。